(57)【要約】【課題】  法人用のゴム印を含む複数の印鑑を収納し、使用するときに取り出しやすい印鑑ケースを提供することを目的とする。【解決手段】  複数の印鑑の印面を下方に向けて一列に並べて収納する印鑑ケース１であって、仕切り５によって複数箇所に分けられた印鑑収納部１０を有し、その印鑑収納部１０は、幅の広い収納部大１１と、幅の狭い複数の収納部小１２とを備えており、収納部大１１の両隣が収納部小１２であることとする。ここで、仕切り５が印鑑収納部１０の底面から途中までの高さであることにしたり、収納部大１１が幅６２ｍｍのゴム印を収納可能な幅であることにするとよい。【選択図】  図１
0003228447.tif 000002
【実用新案登録請求の範囲】
【請求項１】
複数の印鑑の印面を下方に向けて一列に並べて収納する印鑑ケースであって、
仕切りによって複数箇所に分けられた印鑑収納部を有し、
前記印鑑収納部は、幅の広い収納部大と、幅の狭い複数の収納部小とを備えており、前記収納部大の両隣が前記収納部小であることを特徴とする印鑑ケース。
【請求項２】
前記仕切りは、前記印鑑収納部の底面から途中までの高さであることを特徴とする請求項１に記載の印鑑ケース。
【請求項３】
前記収納部大は、幅６２ｍｍのゴム印を収納可能な幅であることを特徴とする請求項１又は請求項２に記載の印鑑ケース。
【考案の詳細な説明】
【技術分野】
【０００１】
本考案は、ゴム印を含む複数の印鑑を収納する法人用の印鑑ケースに関する。
【背景技術】
【０００２】
法人が用いる印鑑には、実印、角印、銀行印などの他に、ゴム印がある。ゴム印としては、一体的な略直方体形状のものもあるし、社名、住所、電話番号、代表者名などに分割された個々のゴム印を合体させて用いるものもある。
【０００３】
このような多種の印鑑を持ち歩く際には、一つのケースにまとめて収納することで整理でき、紛失を防止することができる。複数の印鑑を収納可能な印鑑ケースとしては、例えば、特許文献１に記載のものがあり、図３は、このような従来の印鑑ケースである。この印鑑ケース１００は、印鑑を倒した状態で収納する構造となっている。しかし、横に倒した状態で印鑑が凹部１０１，１０２に嵌まっている構成では、印鑑を持ち上げにくいときがある。例えば、銀行印などは、円柱形状のものが多いので、指で摘まんで持ち上げようとするときに滑りやすい。また、ゴム印が大きい凹部１０２にピタリと収まっているときは、指先で引っ掻くようにしてゴム印を斜めに持ち上げてから、摘まんで取り出すことになる。
【先行技術文献】
【特許文献】
【０００４】
【特許文献１】実用新案登録第３０２７１３９号
【考案の概要】
【考案が解決しようとする課題】
【０００５】
このような実情に鑑み、本考案は、法人用のゴム印を含む複数の印鑑を収納可能であって、使用するときに取り出しやすい印鑑ケースを提供することを目的とする。
【課題を解決するための手段】
【０００６】
このような課題を解決するために、本考案の印鑑ケースは、複数の印鑑の印面を下方に向けて一列に並べて収納する印鑑ケースであって、仕切りによって複数箇所に分けられた印鑑収納部を有し、その印鑑収納部は、幅の広い収納部大と、幅の狭い複数の収納部小とを備えており、収納部大の両隣が収納部小であることを特徴とするものである。
【０００７】
ここで、仕切りが印鑑収納部の底面から途中までの高さであることにしたり、収納部大が幅６２ｍｍのゴム印を収納可能な幅であることにするとよい。
【考案の効果】
【０００８】
本考案の印鑑ケースであれば、印鑑が縦に収納されているので摘まみやすく、特に収納部大に収納するゴム印に関しては、両隣が収納部小なので、空間に余裕があるため親指と人差し指で挟みやすく、取り出しが容易であるという効果を奏する。
【図面の簡単な説明】
【０００９】
【図１】本考案の印鑑ケースの斜視図であって、（ａ）は蓋部を閉じた状態、（ｂ）は蓋部を開けた状態である。
【図２】印鑑収納部の平面図である。
【図３】従来の印鑑ケースである。
【考案を実施するための形態】
【００１０】
以下、本考案の実施の形態を添付図面を参照して説明する。
図１は、本考案の印鑑ケースの斜視図であって、（ａ）は蓋部を閉じた状態、（ｂ）は蓋部を開けた状態である。
【００１１】
本考案の印鑑ケース１は、上面が開口する略直方体形状であって、複数の印鑑の印面を下方に向けて一列に並べて収納する構造となっている。印鑑を縦に収納する構造なので持ち運ぶ際に、鞄の中や鞄に付いている収納ポケットなどに入れやすい形状である。蓋部２は、印鑑上方の開口を覆って、印鑑ケース１の側面で、磁石やボタンなどで係止する構造となっている。
【００１２】
図２は、印鑑収納部の平面図である。印鑑収納部１０は、仕切り５によって複数箇所の収納部に分けられている。収納部には、幅の広い収納部大１１と、幅の狭い複数の収納部小１２とがある。図２に例示した印鑑収納部１０は、収納部大１１を１箇所、収納部小１２を３箇所有しているが、本考案では、収納部大１１を少なくとも１箇所、収納部小を少なくとも２箇所有していればよいものとする。なお、仕切り５は、収納した印鑑同士が衝突しないように、設けられており、仕切っている高さは、印鑑収納部１０の底面から途中までの高さとする。具体的には、印鑑収納部１０の全高さの１／２から３／４程度の高さまでを仕切っていればよい。これは、印鑑収納部１０の最上部まで仕切りがあると、印鑑を取り出すときに、印鑑と仕切り５との隙間に指を挿入するのが難しく、印鑑の天を指で摘まみにくいからである。
【００１３】
収納部大１１には、主にゴム印２１のような大きな印鑑が収納される。特に、幅６２ｍｍのゴム印２１を収納できるように、収納部大１１の仕切り５の間隔は６５ｍｍ程度にするのがよい。
【００１４】
収納部小１２は、角印２４、実印２３、銀行印２２などを収納するものなので、仕切り５の間隔としては、２５ｍｍから３０ｍｍ程度とする。なお、図は一例なので、収納可能な印鑑であれば、どのような印鑑を収納してもよい。
【００１５】
ゴム印２１は、前述した通り、一体的な略直方体形状のものもあるし、社名、住所、電話番号、代表者名などに分割された個々のゴム印を合体させて用いるものもある。いずれにしても、全体の形状としては、略直方体であることが多い。ここで、略直方体のゴム印２１を収納する収納部大１１を印鑑収納部１０の端に配置すると、印鑑収納部１０の側面とゴム印２１との隙間に指を挿入するのが難しいので、ゴム印２１を取り出すのが困難になる。そこで、収納部大１１を端に配置するのではなく、収納部大１１の両隣が収納部小１２となるように配置するのがよい。このような配置にすることで、ゴム印２１の幅方向は両端とも仕切り５で抑えられることになり、また、収納部小１２に収納される印鑑の天は丸いものが多いことから、ゴム印１１を幅方向に親指と人差し指で挟んで持ち上げるのが容易になるからである。なお、図１及び図２に示した例では、収納部小１２が３箇所設けられているが、少なくとも、収納部大１１の両隣に収納部小１２が設けられていればよいので２箇所でもよい。
【００１６】
本考案の印鑑ケースであれば、法人が用いる印鑑をまとめて整理することができ、持ち運びにも便利である。また、ゴム印を含め全ての印鑑の取り出しが容易であることから、実用性に優れている。
【符号の説明】
【００１７】
１ 印鑑ケース
２ 蓋部
５ 仕切り
１０ 印鑑収納部
１１ 収納部大
１２ 収納部小
２１ ゴム印
２２ 銀行印
２３ 実印
２４ 角印
【図１】
0003228447.tif 000003
【図２】
0003228447.tif 000004
【図３】
0003228447.tif 000005